(57)【要約】【課題】情報媒体が提供する情報に関連するネットワーク上の情報を、利用者が簡単に取得することが可能な情報処理システムを提供することを目的とする。【解決手段】情報媒体１００は、自己が提供する情報に関連するＷｅｂサイトにアクセスするための複数の簡潔コード１１０を提供し、端末装置２００は、簡潔コード１１０を入力して、ＵＲＬ変換サーバ３００に送信し、ＵＲＬ変換サーバ３００は、端末装置２００から送信される簡潔コードを受信し、複数の簡潔コードとＵＲＬとを関連づけて格納するＵＲＬ変換テーブル３０４を参照して、受信した簡潔コードに対応するＵＲＬに変換し、変換したＵＲＬで指定されるＷｅｂサイトにアクセスして、ページデータを受信し、受信したページデータを端末装置２００に送信する。【選択図】        図１
2007226563.tif 000002
【特許請求の範囲】
【請求項１】
端末装置および情報中継装置がネットワークを介して通信可能に構成された情報処理システムにおいて、
情報媒体は、自己が提供する情報に関連する前記ネットワーク上の情報を享受するための１または複数の簡潔コードを提供し、
前記端末装置は、前記簡潔コードを入力して、前記情報中継装置に送信し、
前記情報中継装置は、
前記端末装置から送信される簡潔コードを受信する受信手段と、
前記１または複数の簡潔コードと、前記ネットワーク上の情報のアクセス先を示すアドレス情報とを関連づけて格納するテーブルと、
前記テーブルを参照して、前記端末装置から受信した簡潔コードに対応するアドレス情報に変換する変換手段と、
前記変換したアドレス情報が示すアクセス先にアクセスして情報を取得し、前記端末装置に送信する中継手段と、
を備えたことを特徴とする情報処理システム。
【請求項２】
前記簡潔コードに使用期間制限を設けたことを特徴とする請求項１に記載の情報処理システム。
【請求項３】
前記情報媒体は、定期的に発行される出版物の紙面であり、当該紙面には前記簡潔コードが印刷されており、前記出版物の発行毎に簡潔コードに一定の使用期間制限を設け、所定周期単位で同一の簡潔コードを使用することを特徴とする請求項２に記載の情報処理システム。
【請求項４】
前記中継手段は、前記アクセス先にアクセスする場合に、前記情報の送信先として、前記端末装置を指定し、
前記アクセス先からは、前記情報が前記端末装置に送信されることを特徴とする請求項１に記載の情報処理システム。
【請求項５】
前記中継手段は、前記アクセス先にアクセスする場合に、前記情報の送信先として、自己または前記端末装置を選択することを特徴とする請求項１に記載の情報処理システム。
【請求項６】
前記中継手段は、前記アクセス先にアクセスして取得した情報を前記端末装置に適したデータ形態に変換して、当該端末装置に送信することを特徴とする請求項１に記載の情報処理システム。
【請求項７】
前記簡潔コードは、階層構造を有することを特徴とする請求項１に記載の情報処理システム。
【請求項８】
前記簡潔コードは、上位側からメディアの種類を示すＭｅｄｉａ  Ｃｏｄｅと、ページ番号を示すＰａｇｅ  Ｃｏｄｅと、記事番号を示すＡｒｔｉｃｌｅ  Ｃｏｄｅとで構成されており、
前記テーブルには、前記Ｍｅｄｉａ  Ｃｏｄｅ、前記Ｐａｇｅ  Ｃｏｄｅ、および前記Ａｒｔｉｃｌｅ  Ｃｏｄｅ毎に、前記ネットワーク上の情報のアクセス先を示すアドレス情報が関連づけられており、
前記変換手段は、前記簡潔コードを上位側のコードから識別することを特徴とする請求項７に記載の情報処理システム。
【請求項９】
前記情報中継装置は、前記端末装置から入力されるアカウント情報を認証して、アクセスを許可することを特徴とする請求項１に記載の情報処理システム。
【請求項１０】
前記情報媒体は、紙面型情報提供媒体、映像型情報媒体、または音声型情報媒体であることを特徴とする請求項１に記載の情報処理システム。
【請求項１１】
ネットワークを介して端末装置と通信可能に構成されている情報中継装置において、
前記端末装置から送信される簡潔コードを受信する受信手段と、
前記簡潔コードは、情報媒体により提供され、当該情報媒体が提供する情報に関連する前記ネットワーク上の情報を享受するためのものであり、
１または複数の簡潔コードと、前記ネットワーク上の情報のアクセス先を示すアドレス情報とを関連づけて格納するテーブルと、
前記テーブルを参照して、前記端末装置から受信した簡潔コードに対応するアドレス情報に変換する変換手段と、
前記変換したアドレス情報が示すアクセス先にアクセスして情報を取得し、前記端末装置に送信する中継手段と、
を備えたことを特徴とする情報中継装置。
【請求項１２】
前記簡潔コードに使用期間制限を設けたことを特徴とする請求項１１に記載の情報中継装置。
【請求項１３】
前記情報媒体は、定期的に発行される出版物の紙面であり、当該紙面には前記簡潔コードが印刷されており、前記出版物の発行毎に簡潔コードに一定の使用期間制限を設け、所定周期単位で同一の簡潔コードを使用することを特徴とする請求項１２に記載の情報中継装置。
【請求項１４】
前記中継手段は、前記アクセス先にアクセスする場合に、前記情報の送信先として、前記端末装置を指定することを特徴とする請求項１１に記載の情報中継装置。
【請求項１５】
前記中継手段は、前記アクセス先にアクセスする場合に、前記情報の送信先として、自己または前記端末装置を選択することを特徴とする請求項１１に記載の情報中継装置。
【請求項１６】
前記中継手段は、前記アクセス先にアクセスして取得した情報を前記端末装置に適したデータ形態に変換して、当該端末装置に送信することを特徴とする請求項１１に記載の情報中継装置。
【請求項１７】
前記簡潔コードは、階層構造を有することを特徴とする請求項１１に記載の情報中継装置。
【請求項１８】
前記簡潔コードは、上位側からメディアの種類を示すＭｅｄｉａ  Ｃｏｄｅと、ページ番号を示すＰａｇｅ  Ｃｏｄｅと、記事番号を示すＡｒｔｉｃｌｅ  Ｃｏｄｅとで構成されており、
前記テーブルには、前記Ｍｅｄｉａ  Ｃｏｄｅ、前記Ｐａｇｅ  Ｃｏｄｅ、および前記Ａｒｔｉｃｌｅ  Ｃｏｄｅ毎に、前記ネットワーク上の情報のアクセス先を示すアドレス情報が関連づけられており、
前記変換手段は、前記簡潔コードを上位側のコードから識別することを特徴とする請求項１７に記載の情報中継装置。
【請求項１９】
前記端末装置から入力されるアカウント情報を認証して、アクセスを許可することを特徴とする請求項１１に記載の情報中継装置。
【請求項２０】
前記情報媒体は、紙面型情報提供媒体、映像型情報媒体、または音声型情報媒体であることを特徴とする請求項１１に記載の情報中継装置。
【請求項２１】
請求項１１〜請求項２０のいずれか１つに記載の情報中継装置の各手段としてコンピュータを機能させることを特徴とするコンピュータが実行するためのプログラム。
【発明の詳細な説明】
【技術分野】
【０００１】
本発明は、情報処理システム、情報中継装置、およびコンピュータが実行するためのプログラムに関し、簡単なコードを入力して、関連するネットワーク上の情報を簡易に取得することが可能な情報処理システム、情報中継装置、およびコンピュータが実行するためのプログラムに関する。
【背景技術】
【０００２】
近年ネットワーク等の情報伝達手段を介して情報の取得や買い物、チケットの注文等のサービスを受けられるようになってきた。サービスを受ける場合、ＵＲＬと呼ばれるサービス提供者のアドレスおよびサービス種を最初に入力する。ネットットワーク上でサービスを受ける場合、サービス提供者のアドレスおよびｈｔｔｐ：のようにＵＲＬを入力する必要があり、キーボードに慣れていない利用者にとっては不便であり、また、雑誌等印刷物あるいはテレビやラジオからの情報を元に入力する場合、キー操作に慣れた利用者でも入れ間違えたり記憶できなかったりして不便である。特に、携帯電話などの入力機能に制限が多い端末からは、長いＵＲＬを入力するのは不便である。
【０００３】
ネットワーク上のサービスを簡単に選択する技術として、例えば、特許文献１が公知である。同文献では、端末装置が、キーから入力された文字列の中からあらかじめ登録したキーワードを検索しこれに対応して登録された問い合わせサーバのネットワークアドレスに変換すると共に、入力された文字列からキーワードを除いた部分をこの問い合わせサーバに送出する。問い合わせサーバは、当該部分をＵＲＬに変換して端末装置に送り返す。この後、端末装置は、目的とするＵＲＬにアクセスする。
【０００４】
【特許文献１】特開２００２−２４１１６号公報  図７
【発明の開示】
【発明が解決しようとする課題】
【０００５】
しかしながら、上記文献の技術では、端末装置の利用者は、文字列を入力した後、問い合わせサーバにＵＲＬ変換要求を出し、さらに戻ってきた変換結果のＵＲＬを再度ブラウザのアドレス欄に入力する必要があるため、利用者としては、文字列の入力と、ＵＲＬの入力の２つのアクションが必要となるため、利用者にとってその操作が煩雑であるという問題がある。
【０００６】
本発明は、上記に鑑みてなされたものであり、情報媒体が提供する情報に関連するネットワーク上の情報を、利用者が簡単に取得することが可能な情報処理システム、情報中継装置、およびコンピュータが実行するためのプログラムを提供することを目的とする。
【０００７】
上述した課題を解決し、目的を達成するために、本発明は、端末装置および情報中継装置がネットワークを介して通信可能に構成された情報処理システムにおいて、情報媒体は、自己が提供する情報に関連する前記ネットワーク上の情報を享受するための１または複数の簡潔コードを提供し、前記端末装置は、前記簡潔コードを入力して、前記情報中継装置に送信し、前記情報中継装置は、前記端末装置から送信される簡潔コードを受信する受信手段と、前記１または複数の簡潔コードと、前記ネットワーク上の情報のアクセス先を示すアドレス情報とを関連づけて格納するテーブルと、前記テーブルを参照して、前記端末装置から受信した簡潔コードに対応するアドレス情報に変換する変換手段と、前記変換したアドレス情報が示すアクセス先にアクセスして情報を取得し、前記端末装置に送信する中継手段と、を備えたことを特徴とする。
【０００８】
また、本発明の好ましい態様によれば、前記簡潔コードに使用期間制限を設けることが望ましい。
【０００９】
また、本発明の好ましい態様によれば、前記情報媒体は、定期的に発行される出版物の紙面であり、当該紙面には前記簡潔コードが印刷されており、前記出版物の発行毎に簡潔コードに一定の使用期間制限を設け、所定周期単位で同一の簡潔コードを使用することが望ましい。
【００１０】
また、本発明の好ましい態様によれば、前記中継手段は、前記アクセス先にアクセスする場合に、前記情報の送信先として、前記端末装置を指定し、前記アクセス先からは、前記情報が前記端末装置に送信されるが望ましい。
【００１１】
また、本発明の好ましい態様によれば、前記中継手段は、前記アクセス先にアクセスする場合に、前記情報の送信先として、自己または前記端末装置を選択することが望ましい。
【００１２】
また、本発明の好ましい態様によれば、前記中継手段は、前記アクセス先にアクセスして取得した情報を前記端末装置に適したデータ形態に変換して、当該端末装置に送信することが望ましい。
【００１３】
また、本発明の好ましい態様によれば、前記簡潔コードは、階層構造を有することが望ましい。
【００１４】
また、本発明の好ましい態様によれば、前記簡潔コードは、上位側からメディアの種類を示すＭｅｄｉａ  Ｃｏｄｅと、ページ番号を示すＰａｇｅ  Ｃｏｄｅと、記事番号を示すＡｒｔｉｃｌｅ  Ｃｏｄｅとで構成されており、前記テーブルには、前記Ｍｅｄｉａ  Ｃｏｄｅ、前記Ｐａｇｅ  Ｃｏｄｅ、および前記Ａｒｔｉｃｌｅ  Ｃｏｄｅ毎に、前記ネットワーク上の情報のアクセス先を示すアドレス情報が関連づけられており、前記変換手段は、前記簡潔コードを上位側のコードから識別することが望ましい。
【００１５】
また、本発明の好ましい態様によれば、前記情報中継装置は、前記端末装置から入力されるアカウント情報を認証して、アクセスを許可することが望ましい。
【００１６】
また、本発明の好ましい態様によれば、前記情報媒体は、紙面型情報提供媒体、映像型情報媒体、または音声型情報媒体であることが望ましい。
【００１７】
上記した課題を解決して、本発明の目的を達成するために、本発明は、ネットワークを介して端末装置と通信可能に構成されている情報中継装置において、前記端末装置から送信される簡潔コードを受信する受信手段と、前記簡潔コードは、情報媒体により提供され、当該情報媒体が提供する情報に関連する前記ネットワーク上の情報を享受するためのものであり、１または複数の簡潔コードと、前記ネットワーク上の情報のアクセス先を示すアドレス情報とを関連づけて格納するテーブルと、前記テーブルを参照して、前記端末装置から受信した簡潔コードに対応するアドレス情報に変換する変換手段と、前記変換したアドレス情報が示すアクセス先にアクセスして情報を取得し、前記端末装置に送信する中継手段と、を備えたことを特徴とする。
【００１８】
また、本発明の好ましい態様によれば、前記簡潔コードに使用期間制限を設けることが望ましい。
【００１９】
また、本発明の好ましい態様によれば、前記情報媒体は、定期的に発行される出版物の紙面であり、当該紙面には前記簡潔コードが印刷されており、前記出版物の発行毎に簡潔コードに一定の使用期間制限を設け、所定周期単位で同一の簡潔コードを使用することが望ましい。
【００２０】
また、本発明の好ましい態様によれば、前記中継手段は、前記アクセス先にアクセスする場合に、前記情報の送信先として、前記端末装置を指定することが望ましい。
【００２１】
また、本発明の好ましい態様によれば、前記中継手段は、前記アクセス先にアクセスする場合に、前記情報の送信先として、自己または前記端末装置を選択することが望ましい。
【００２２】
また、本発明の好ましい態様によれば、前記中継手段は、前記アクセス先にアクセスして取得した情報を前記端末装置に適したデータ形態に変換して、当該端末装置に送信することが望ましい。
【００２３】
また、本発明の好ましい態様によれば、前記簡潔コードは、階層構造を有することが望ましい。
【００２４】
また、本発明の好ましい態様によれば、前記簡潔コードは、上位側からメディアの種類を示すＭｅｄｉａ  Ｃｏｄｅと、ページ番号を示すＰａｇｅ  Ｃｏｄｅと、記事番号を示すＡｒｔｉｃｌｅ  Ｃｏｄｅとで構成されており、前記テーブルには、前記Ｍｅｄｉａ  Ｃｏｄｅ、前記Ｐａｇｅ  Ｃｏｄｅ、および前記Ａｒｔｉｃｌｅ  Ｃｏｄｅ毎に、前記ネットワーク上の情報のアクセス先を示すアドレス情報が関連づけられており、前記変換手段は、前記簡潔コードを上位側のコードから識別することが望ましい。
【００２５】
また、本発明の好ましい態様によれば、前記端末装置から入力されるアカウント情報を認証して、アクセスを許可することが望ましい。
【００２６】
また、本発明の好ましい態様によれば、前記情報媒体は、紙面型情報提供媒体、映像型情報媒体、または音声型情報媒体であることが望ましい。
【００２７】
また、本発明の好ましい態様によれば、コンピュータがプログラムを実行することで、上記情報中継装置の各手段として機能することが望ましい。
【発明の効果】
【００２８】
本発明によれば、情報媒体は、自己が提供する情報に関連するネットワーク上の情報を享受するための１または複数の簡潔コードを提供し、端末装置は、簡潔コードを入力して、情報中継装置に送信し、前記情報中継装置は、端末装置から送信される簡潔コードを受信し、１または複数の簡潔コードとネットワーク上の情報のアクセス先を示すアドレス情報とを関連づけて格納するテーブルを参照して、受信した簡潔コードに対応するアドレス情報に変換し、変換したアドレス情報が示すアクセス先にアクセスして情報を取得した後、端末装置に送信することとしたので、端末装置の利用者は、簡単なコードを入力するだけで、情報媒体が提供する情報に関連するネットワーク上の情報を取得することができ、情報媒体が提供する情報に関連するネットワーク上の情報を、利用者が簡単に取得することが可能な情報処理システム、情報中継装置、およびコンピュータが実行するためのプログラムを提供することが可能になるという効果を奏する。
【発明を実施するための最良の形態】
【００２９】
以下に、この発明につき図面を参照しつつ詳細に説明する。なお、この実施の形態によりこの発明が限定されるものではない。また、下記実施の形態における構成要素には、当業者が容易に想定できるものまたは実質的に同一のものが含まれる。
【００３０】
（実施の形態１）
図１は、本実施の形態に係る情報提供システムの全体構成例を示す図である。本実施の形態にかかる情報提供システムにおいては、情報媒体１００が、自己が提供する情報に関連するネットワーク上の情報を享受するための簡潔コードを提供する。本実の形態にかかる情報提供システムは、図１に示すように、情報媒体１００から提供される簡潔コードを入力して、ＵＲＬ変換サーバ３００に送信する端末装置２００・・・と、端末装置２００から送信されてくる簡潔コードを受信して、受信した簡潔コードを対応するＵＲＬ（アドレス情報）に変換し、変換したＵＲＬで指定される情報提供サーバ４００にアクセスしてページデータを受信し、受信したページデータを端末装置２００に送信するＵＲＬ変換サーバ（情報中継装置）３００・・・と、情報媒体１００が提供する情報に関連する情報を提供する情報提供サーバ（Ｗｅｂサーバ）４００・・・とがネットワーク５００を介して互いに接続されて構成されている。
【００３１】
ネットワーク５００は、例えば、インターネットであるがこれに限定されるものではない。また、同図では、携帯電話用の基地局および無線通信網の図示を省略し、これらはネットワーク５００に含まれるものとする。端末装置２００は、例えば、ＰＣ、携帯電話、およびＰＤＡ等である。以下の実施例では、端末装置２００が携帯電話である場合を例示して説明する。簡潔コードを提供する情報媒体１００は、雑誌、新聞等の紙面型情報提供媒体、テレビ、ＤＶＤ、ビデオ等の映像型情報媒体、ラジオ等の音声型情報媒体等の各種媒体がある。以下では、簡潔コードを提供する情報媒体として、雑誌を例示して説明する。
【００３２】
つぎに、情報媒体１００および簡潔コードについて図２を参照して説明する。図２は、情報媒体１００の一例である雑誌の紙面を示している。同図において、１１０は簡潔コードを示しており、各簡潔コード１１０には、ＵＲＬが関連付けられている。同図に示す例では、各記事毎に簡潔コード１１０“「１」、「２」、「３」，「４」、「５」、「６」、「７」”が記述されている。後述するように、各記事に関する情報を閲覧したい場合には、端末装置２００から各記事に対応する簡潔コード１１０を入力してＵＲＬ変換サーバ３００に送信すると、ＵＲＬ変換サーバ３００を中継して、各簡潔コードに関連付けられたＵＲＬで指定される情報（Ｗｅｂページ）、すなわち、各記事に関する情報を取得することができる。例えば、記事３に関連する情報を閲覧したい場合には、端末装置２００で簡潔コード「３」を入力してＵＲＬ変換サーバ３００に送信すると、簡潔コード「３」に対応するＵＲＬで指定される情報（Ｗｅｂページ）を取得することができる。ここでは、簡潔コードとして、数字を使用することとしたが、本発明はこれに限定されるものではなく、本発明の趣旨を逸脱しない範囲で種々の変形が可能である。
【００３３】
図３は、本発明に係る端末装置２００の一例である携帯電話機の一構成例を示すブロック図である。端末装置２００は、図３に示すように、互いにバスを介して接続されるＣＰＵ（Central Processing Unit）２０１、ＲＯＭ（Read Only Memory）２０２、ＲＡＭ（Random Access Memory）２０３、不揮発性メモリ２０４、無線通信部２０５、操作部２０６、通話処理部２０７，および表示部２０８を備えている。
【００３４】
ＣＰＵ２０１は、当該端末装置２００の装置各部を制御する。ＣＰＵ２０１が種々の処理を行う際にＲＡＭ２０３はワーキングエリアとして用いられる。
【００３５】
ＲＯＭ２０２には、ＣＰＵ２０１によって実行される種々のプログラムが記憶されている。例えば、通話、電話番号やメールアドレス等の個人用データのメモリ登録、読み出し等の携帯電話としての機能を実現するプログラム、ブラウザアプリケーション、後述するダウンロードしたアプリケーションを実行するための環境を実現するアプリケーションなどのプログラム（以下、ネイティブプログラムという）が記憶されている。ＣＰＵ２０１は、ＲＯＭ２０２からこれらのネイティブプログラムを読み出して実行することで、通話、データ通信、個人用データの登録、読み出し、利用など携帯電話としての種々の機能を実現することができる。また、端末装置２００は、一般的な無線電話を行うための機能に加え、パケットデータ通信機能およびブラウザ機能を備えている。
【００３６】
無線通信部２０５は、アンテナを有し、ネットワーク５００との間で行われる無線通信を制御する。無線通信部２０５は、ＣＰＵ２０１の制御の下、送話音声に対応するデータやパケット通信用データなどを搬送波に重畳して無線信号を生成し、生成した無線信号をアンテナを介して基地局６へ送信する。また、無線通信部２０５は、ネットワーク５００から送信される無線信号をアンテナにより受信し、これを復調して受話音声データや通信データ（ＨＴＭＬデータや、アプリケーションデータ等）などを得る。
【００３７】
操作部２０６は、テンキーなどの複数のキーを有しており、利用者のキー操作に応じた操作指示信号をＣＰＵ２０１に出力する。通話処理部２０７は、マイクロホン、スピーカ、音声信号処理部等を有しており、ＣＰＵ２０１の制御の下、他の電話機との間で行われる通話に必要な処理を行う。表示部２０８は、ＬＣＤ（Liquid Crystal Display）を有しており、かかるＬＣＤに種々の情報を表示させる。
【００３８】
不揮発性メモリ２０４は、ＳＲＡＭ（Static RAM）やＥＥＰＲＯＭ（Electrically Erasable Programmable ROM）等の書き換え可能なメモリであり、個人用データを格納する個人用データ領域と、ダウンロードしたアプリケーションを格納するアプリケーション領域等を有している。
【００３９】
図４は、図１のＵＲＬ変換サーバ３００の機能構成図である。図５は、ＵＲＬ変換テーブルの一構成例を示す図である。ＵＲＬ変換サーバ３００は、図４に示すように、通信制御部３０１、コード受付部３０２、ＬＵＴ変換部３０３、ＵＲＬ変換テーブル３０４、ＵＲＬ呼出制御部３０５とを備えている。
【００４０】
通信制御部３０１は、ネットワーク５００に接続されており、ネットワーク５００を介して各種装置とデータ通信を行うためのインターフェィスである。
【００４１】
コード受付部３０２は、通信制御部３０１を介して、端末装置２００からコード入力画面要求があった場合に、コード入力画面を当該端末装置２００に送信し、端末装置２００からの簡潔コード１１０を受信する。ＬＵＴ変換部３０３は、コード受付部３０２で受信した簡潔コードを、ＵＲＬ変換テーブル３０４を参照して、対応するＵＲＬに変換してＵＲＬ呼出制御部３０５に送出する。ＵＲＬ変換テーブル３０４は、情報媒体１００から提供される複数の簡潔コード１１０と、各簡潔コード１１０に対応するＵＲＬとを格納するテーブルである。
【００４２】
図５は、ＵＲＬ変換テーブル３０４の一例を示す図である。図５は、上記図２で示した情報媒体１００の簡潔コードをＵＲＬに変換するためのＵＲＬ変換テーブルの一例を示している。ＵＲＬ変換テーブル３０４には、図５に示すように、各簡潔コード１１０”「１」，「２」，「３」，「４」，「５」，「６」，「７」”と、対応するＵＲＬ”「ａａａ．ｂｂｂ．ｃｃ．１」、「ａａａ．ｂｂｂ．ｃｃ．２」，「ａａａ．ｂｂｂ．ｃｃ．３」，「ａａａ．ｂｂｂ．ｃｃ．４」，「ａａａ．ｂｂｂ．ｃｃ．５」、「ａａａ．ｂｂｂ．ｃｃ．６」，「ａａａ．ｂｂｂ．ｃｃ．７」が格納されている。例えば、簡潔コード「４」の場合は、ＵＲＬ「ａａａ．ｂｂｂ．ｃｃ．４」に変換される。ＵＲＬ呼出制御部３０５は、通信制御部３０１を介して、ＬＵＴ変換部３０３から受け取ったＵＲＬで指定されるアクセス先である情報提供サーバ４００にアクセスし、情報提供サーバ４００からページデータを受信して端末装置２００に送信する。
【００４３】
図６は、ＵＲＬ変換サーバ３００のハードウエア構成図である。ＵＲＬ変換サーバ３００は、ワークステーション等で構成することができる。ＵＲＬ変換サーバ３００は、図６に示すように、ＣＰＵを含む制御ユニット３１１と、メモリユニット３１２と、表示ユニット３１３と、入力ユニット３１４と、ＣＤ−ＲＯＭドライブユニット３１５（ＤＶＤドライブユニット、ＦＤドライブユニットであってもよい）と、ＨＤユニット３１６と、外部Ｉ／Ｆユニット３１７と、印刷ユニット３１８とを備え、これらの各ユニットは、それぞれシステムバスＢを介して接続されている。
【００４４】
メモリユニット３１２は、ＲＡＭ、ＲＯＭ等の各種メモリで構成されている。制御ユニット３１１は、メモリユニット３１２のＲＡＭやＲＯＭに記憶されているプログラムやデータを用いてＵＲＬ変換サーバ３００全体の制御を行うと共に、ＵＲＬ変換サーバ３００と他の機器とのデータ通信をも制御する。ＲＡＭは、外部ユニット３１６、もしくはＣＤ−ＲＯＭドライブユニット３１５からロードされたプログラムやデータを記憶保持するエリアを備えると共に、制御ユニット３１１の処理対象のデータを一時的に記憶したり、制御ユニット３１１が各種の処理を行うために使用するワークエリアを備える。
【００４５】
ＲＯＭはＵＲＬ変換サーバ３００全体の制御を行うためのプログラムやデータを格納する。表示ユニット３１３はＣＲＴや液晶画面などにより構成されており、ＵＲＬ変換サーバ３００の状態や各種操作画面などを表示する。 入力ユニット３１４は、キーボード、マウス等を備えており、利用者がデータを入力するためのものであり、例えば、上述のＵＲＬ変換テーブル３０４を作成したり、そのデータの更新・削除等を行う。
【００４６】
ＨＤユニット３１６は、ＵＲＬ変換サーバ３００が行う処理に従ったプログラムが保存されており、ＲＡＭにロードし、制御ユニット３１１がこのプログラムを実行することで、上述した各部の機能を実現する。また、ＨＤユニット３１６は、各種プログラムを保存する領域や上述のＵＲＬ変換テーブル３０４を形成する領域を備えている。
【００４７】
なお、これらのプログラムやデータはＣＤ−ＲＯＭ３１９などの記憶媒体に記憶させておいてもよく、その場合、ＣＤ−ＲＯＭドライブユニット３１５により、ＣＤ−ＲＯＭ１３１６が記憶しているプログラムやデータを読み出し、ＲＡＭやＨＤユニット３１６に読み出したプログラムやデータを出力する。
【００４８】
外部ユニットＩ／Ｆ３１８は、上記ネットワーク５００と接続するためのもので、ネットワークを介して他の機器とのデータ通信を行うために使用される。
【００４９】
図７は、本発明の一実施の形態に適用される情報提供システム１の動作の一例を説明するフローチャートである。図８は、端末装置２００の画面遷移の一例を示す図である。
【００５０】
図７において、端末装置２００では、ＵＲＬ変換サーバ３００にコード入力画面要求を送出する（ステップＳ１）。ＵＲＬ変換サーバ３００では、コード受付部３０２が端末装置２００からコード入力画面要求を受信すると（ステップＴ１）、コード入力画面データを端末装置２００に送信する（ステップＴ２）。端末装置２００は、コード入力画面データを受信すると（ステップＳ２）、コード入力画面を表示する（ステップＳ３）。図８のＰ１は、コード入力画面の一例を示す図である。コード入力画面Ｐ１では、コード入力欄２５１と、送信ボタン２５２が表示されている。このコード入力欄２５１に簡潔コード１１０を入力し、送信ボタン２５２を選択すると、入力された簡潔コード１１０をＵＲＬ変換サーバ３００に送信することができる。図２に示す情報媒体１００において、端末装置では、記事５をみたい場合は、簡潔コードとして「５」をコード入力欄２５１に入力し、送信ボタン２５１を選択する。
【００５１】
端末装置２００では、コード入力画面で情報媒体１００に記述されている所望の簡潔コード１１０を入力し（ステップＳ４）、入力した簡潔コード１１０をＵＲＬ変換サーバ３００に送信する（ステップＳ５）。ＵＲＬ変換サーバ３００では、コード受付部３０２で簡潔コードを受信すると（ステップＴ３）、ＬＵＴ変換部３０３は、ＵＲＬ変換テーブル３０４を参照し、コード受付部３０２で受信した簡潔コード１１０を対応するＵＲＬに変換して、ＵＲＬ呼出制御部３０５に送出する（ステップＴ４）。ＵＲＬ呼出制御部３０５は、ＬＵＴ変換部３０３から受け取ったＵＲＬで指定されるアクセス先である情報提供サーバ４００にページ送信要求を送出する（ステップＴ５）。
【００５２】
情報提供サーバ４００は、ＵＲＬ変換サーバ３００からページ送信要求を受信すると（ステップＵ１）、ページデータをＵＲＬ変換サーバ３００に送信する（ステップＵ２）。ＵＲＬ変換サーバ３００では、ＵＲＬ呼出制御部３０５は、情報提供サーバ４００からページデータを受信し、受信したページデータを端末装置２００に送信する（ステップＴ６）。端末装置２００は、ＵＲＬ変換サーバ３００からページデータを受信すると、ページデータを表示する（ステップＳ６）。図８のＰ２は、ページ画面の一例を示す図である。
【００５３】
以上説明したように、実施の形態１によれば、情報媒体１００は、自己が提供する情報に関連するＷｅｂサイトにアクセスするための複数の簡潔コード１１０を提供し、端末装置２００は、簡潔コード１１０を入力して、ＵＲＬ変換サーバ３００に送信し、ＵＲＬ変換サーバ３００は、端末装置２００から送信される簡潔コードを受信し、複数の簡潔コードとＵＲＬとを関連づけて格納するＵＲＬ変換テーブル３０４を参照して、受信した簡潔コードに対応するＵＲＬに変換し、変換したＵＲＬで指定されるＷｅｂサイトにアクセスして、ページデータを受信し、受信したページデータを端末装置２００に送信することとしたので、端末装置２００の利用者は、簡単なコードを入力するだけで、すなわち、１回の操作で、情報媒体１００が提供する情報に関連するＷｅｂ上の情報を取得することができ、情報媒体１００が提供する情報に関連するＷｅｂ上の情報を、利用者が簡単に取得することが可能となる。また、実際のＵＲＬを利用者に直接見せることなく、ＵＲＬへの接続ができ、ＵＲＬを秘密化することができる。また、端末装置２００のブラウザの種類に拘わらず、情報媒体が提供する情報に関連するＷｅｂ上の情報を簡単に取得することができる。
【００５４】
（１）変形例１
図９−１は、変形例１を説明するための図である。変形例１では、短い簡潔コードは、使用できる数が限られているので、簡潔コード１１０に使用有効期限を設け、簡潔コード１１０を使い回す場合について説明する。ここでは、情報媒体１００が月刊誌である場合を例示して説明する。同図において、情報媒体１００Ａ１，Ａ２，Ａ３，Ａ４，・・・は、所定の月刊誌の１月号、２月号、３月号、４月号，・・・を示している。情報媒体１００Ａ１，Ａ２，Ａ３，Ａ４，・・・では、それぞれ簡潔コード１〜７，１１〜１７，２１〜２７，１〜７，・・・を使用している。ＵＲＬ変換テーブル３０４Ａ１，Ａ２，Ａ３，Ａ４，・・・は、情報媒体１００Ａ１，Ａ２，Ａ３，Ａ４，・・・の簡潔コード１〜７，１１〜１７，２１〜２７，１〜７をそれぞれＵＲＬに変換するためのものである。
【００５５】
情報媒体１００Ａ１，Ａ２，Ａ３，Ａ４，・・・に使用される簡潔コード１〜７，１１〜１７，２１〜２７，１〜７，・・・は、それぞれ３ヶ月間の有効期間が設定されており、３ヶ月間使用可能となっている。３ヶ月経過すると、簡潔コード１〜７，１１〜１７，２１〜２７を再利用し、３ヶ月周期で繰り返し使用する。これにより、短いコードを使い回すことができ、端末装置２００の利用者が簡潔コードを入力するのが容易となる。
【００５６】
ＵＲＬ変換サーバ３００は、各情報媒体１００Ａ１，Ａ２，Ａ３，Ａ４，・・・に対応するＵＲＬ変換テーブル３０４Ａ１，Ａ２，Ａ３，Ａ４，・・・をそれぞれ３ヶ月間保持し、３ヶ月経過に削除する。
【００５７】
ここで、異なる簡潔コードを同じＵＲＬに割り当てることもできる。例えば、１月号の情報媒体１００Ａ１の簡潔コード「２」と２月号の情報媒体１００Ａ２の簡潔コード「１２」には、同一のＵＲＬが割り当てられている。このように、１つのＵＲＬに対して、異なる簡潔コードを割り当て、それぞれの簡潔コードの使用可能期間をずらすことで、期限切れ時期に対して、新旧いずれの簡潔コードも使用することで、簡潔コードの再利用時の誤変換を減らすことができる。
【００５８】
ここでは、情報媒体１００が月刊誌の場合について説明したが、同様に、例えば、テレビ放送の場合は放送後２４時間、週刊誌の場合は発行後３週間の簡潔コードの有効期限を設け、簡潔コードを再利用することができる。
【００５９】
変形例１によれば、簡潔コードに使用期間制限を設けているので、同一の簡潔コードでも使用時期によって異なるＵＲＬに関連づけることが可能となる。
【００６０】
（２）変形例２
図９−２および図９−３は、変形例２を説明するためのフローチャートである。図９−２および図９−３において、図７と同等な処理を行うステップには、同一のステップ番号を付してあり、共通する部分の説明は省略し、異なる点についてのみ説明する。
【００６１】
上記実施の形態１では、ＵＲＬ変換サーバ３００のＵＲＬ呼出制御部３０５は、端末装置２００から送信される簡潔コードに対応するＵＲＬにアクセスし、ページデータを受け取り、受け取ったページデータを端末装置２００に送信する構成である。これに対して、変形例２では、ＵＲＬ呼出制御部３０５は、目的のＵＲＬにアクセスするところまで代行し、戻る時のＩＰアドレス、およびＰｏｒｔ番号等（送信先指定）を端末装置２００のものを使用して、ＵＲＬ変換サーバ３００を経由しないで（バイパスさせる）、直接、目的の情報提供サーバ４００から端末装置２００にページデータを送信する構成としてもよい。
【００６２】
図９−２において、ＵＲＬ変換サーバ３００のＵＲＬ呼出制御部３０５は、送信先を端末装置２００に指定して、ＵＲＬが示す情報提供サーバ４００にアクセスする（ステップＴ１０）。情報提供サーバ４００は、ＵＲＬ変換サーバ３００からページ送信要求を受信すると（ステップＵ１）、ページデータを端末装置２００に送信する（ステップＵ１０）。これにより、リッチコンテンツのように、戻りの情報量が多くなってもＵＲＬ変換サーバ３００に負荷がかかることを防止することができる。
【００６３】
また、ＵＲＬ呼出制御部３０５は、目的の情報提供サーバ４００からのページデータを、自己を経由させるか／バイパスさせるかを判断して、そのいずれかを選択する構成としてもよい。この判断は、アクセスするページデータのデータ量・ＵＲＬ変換サーバ３００の負荷状態・ユーザの指定の有無等に基づいて行うことができる。
【００６４】
図９−３において、ＵＲＬ変換サーバ３００のＵＲＬ呼出制御部３０５は、アクセスするページデータの大きさ・ＵＲＬ変換サーバ３００の負荷状態・ユーザの指定の有無等に基づいて、自己を経由させるか／バイパスさせるかを判断する（ステップＴ２１）。ＵＲＬ呼出制御部３０５は、バイパスさせる場合には、送信先を端末装置２００に指定して、ＵＲＬにアクセスする（ステップＴ２３）。これに応じて、情報提供サーバ４００は、ページデータを端末装置２００に送信する（ステップＵ２１）。他方、ＵＲＬ呼出制御部３０５は、自己を経由する場合には、自己を送信先に指定して、ＵＲＬにアクセスする（ステップＴ２２）。これに応じて、情報提供サーバ４００は、ページデータをＵＲＬ変換サーバ３００に送信し（ステップＵ２２）、ＵＲＬ呼出制御部３０５は、情報提供サーバ４００からページデータを受信して、端末装置２００に送信する（ステップＴ６）。
【００６５】
変形例２では、ＵＲＬ変換サーバ３００のＵＲＬ呼出制御部３０５は、アクセスするページデータの大きさ・ＵＲＬ変換サーバ３００の負荷状態・ユーザの指定の有無等に基づいて、自己を経由させるか／バイパスさせるかを判断しているので、外部にアプリケーションスイッチを付けてバイパスさせる場合に比して、より簡単でかつ選択的な運用が可能となる。
【００６６】
（３）変形例３
変形例３では、ＵＲＬ変換サーバ３００のＵＲＬ呼出制御部３０５は、情報提供サーバ４００から受信したページデータを、端末装置２００（端末装置２００のブラウザ）に適したデータ形式に変換して端末装置２００に送信する。具体的には、ＵＲＬ呼出制御部３０５は、ｈｔｍｌ−コンパクトｈｔｍｌ変換手段を有している。ＵＲＬ呼出制御部３０５は、ページデータがｈｔｍｌであり、端末装置２００がコンパクトｈｔｍｌに対応している場合は、ページデータをｈｔｍｌからコンパクトｈｔｍｌに変換して端末装置２００に送信する。また、ＵＲＬ呼出制御部３０５は、ページデータがコンパクトｈｔｍｌであり、端末装置２００がｈｔｍｌに対応している場合は、ページデータをコンパクトｈｔｍｌからｈｔｍｌに変換して端末装置２００に送信する。
【００６７】
（実施の形態２）
実施の形態２に係る情報提供システムを説明する。実施の形態２では、情報媒体から提供される簡潔コードを階層化したものである。実施の形態１に係る情報提供システムの全体構成図、端末装置の構成図、ＵＲＬ変換サーバの構成図は、実施の形態１と同様であり、ここでは異なる点についてのみ説明する。
【００６８】
図１０は、実施の形態２に係る簡潔コードの階層構造を説明するための図である。実施の形態２では、図１０に示すように、簡潔コードを、メディアの種類を示すＭｅｄｉａ  Ｃｏｄｅ、ページ番号を示すＰａｇｅ  Ｃｏｄｅ、記事番号を示すＡｒｔｉｃｌｅ  Ｃｏｄｅで構成し、階層化（階層構造）している。これにより、複数の異なるメディアやメディアの複数のページから簡潔コードを提供することが可能となる。
【００６９】
図１１は、実施の形態２に係る情報媒体１００の一例である雑誌の紙面を示している。同図において、１１０Ａは、Ｍｅｄｉａ  Ｃｏｄｅ、１１０Ｂは、Ｐａｇｅ  Ｃｏｄｅ、１１０Ｃは、Ａｒｔｉｃｌｅ  Ｃｏｄｅを示している。同図に示す例では、Ｍｅｄｉａ  Ｃｏｄｅ１１０Ａとして、「５５３」，Ｐａｇｅ  Ｃｏｄｅ１１０Ｂとして、「３２」，Ａｒｔｉｃｌｅ  Ｃｏｄｅ１１０Ｃとして、各記事毎に「１」、「２」、「３」，「４」、「５」、「６」、「７」が記述されている。各記事を閲覧したい場合には、端末装置２００から「Ｍｅｄｉａ  Ｃｏｄｅ、Ｐａｇｅ  Ｃｏｄｅ、およびＡｒｔｉｃｌｅ  Ｃｏｄｅ」を入力して、ＵＲＬ変換サーバ３００に送信する。例えば、記事５に関する情報を閲覧したい場合には、簡潔コード「５５３３２５」を入力してＵＲＬ変換サーバ３００に送信すると、記事５に関する情報を取得することができる。
【００７０】
実施の形態２にかかるＵＲＬ変換テーブル３０４は、各メディアから提供される各簡潔コードを対応するＵＲＬに変換可能に構成されている。ＵＲＬ変換テーブル３０４は、Ｍｅｄｉａ  Ｃｏｄｅ、Ｐａｇｅ  Ｃｏｄｅ、およびＡｒｔｉｃｌｅ  Ｃｏｄｅ毎に、対応するＵＲＬを格納している。
【００７１】
図１２は、実施の形態２に係るＵＲＬ変換テーブル３０４の一部を示す図である。図１２に示す例は、図１１に示す情報媒体１００の簡潔コード１１０Ａ，Ｂ，ＣをＵＲＬに変換するためのものである。同図では、Ｍｅｄｉａ  Ｃｏｄｅ「５５３」に、ＵＲＬ「ａａａ．ｂｂｂ」が、Ｐａｇｅ  Ｃｏｄｅ「３２」に、ＵＲＬ「ａａａ．ｂｂｂ．ｃｃ」が、Ａｒｔｉｃｌｅ  Ｃｏｄｅ”「１」，「２」，「３」，「４」，「５」，「６」，「７」”に、ＵＲＬ”「ａａａ．ｂｂｂ．ｃｃ．１」、「ａａａ．ｂｂｂ．ｃｃ．２」，「ａａａ．ｂｂｂ．ｃｃ．３」，「ａａａ．ｂｂｂ．ｃｃ．４」，「ａａａ．ｂｂｂ．ｃｃ．５」、「ａａａ．ｂｂｂ．ｃｃ．６」，「ａａａ．ｂｂｂ．ｃｃ．７」“がそれぞれ関連づけられている。
【００７２】
ＬＵＴ変換部３０３は、コード受付部３０２から簡潔コード１１０を受け取ると、上位から順に、上位３桁でＭｅｄｉａ  Ｃｏｄｅを識別し、中位２桁でＰａｇｅ  Ｃｏｄｅを識別し、下位１桁でＡｒｔｉｃｌｅ  Ｃｏｄｅ」を識別し、ＵＲＬ変換テーブル３０４を参照して、対応するＵＲＬに変換する。
【００７３】
例えば、簡潔コード「５５３３２５」を受け取った場合には、上位３桁でＭｅｄｉａ  Ｃｏｄｅを「５５３」と識別し、中位２桁でＰａｇｅ  Ｃｏｄｅ「３２」を識別し、下位１桁でＡｒｔｉｃｌｅ  Ｃｏｄｅ「５」を識別し、対応するＵＲＬ「ａａａ．ｂｂｂ．ｃｃ．５」に変換する。簡潔コード「５５３」を受け取った場合には、上位３桁でＭｅｄｉａ  Ｃｏｄｅを「５５３」と識別し、対応するＵＲＬ「ａａａ．ｂｂｂ」に変換する。また、簡潔コード「５５３３２」を受け取った場合には、上位３桁でＭｅｄｉａ  Ｃｏｄｅを「５５３」と識別し、中位２桁でＰａｇｅ  Ｃｏｄｅ「３２」を識別し、対応するＵＲＬ「ａａａ．ｂｂｂ．ｃｃ」に変換する。なお、簡潔コード「３２」や「５」を受け取った場合には、Ｍｅｄｉａ  Ｃｏｄｅが識別されないため、エラーを端末装置３００に返信する。
【００７４】
以上説明したように、実施の形態２によれば、情報媒体１００から提供される簡潔コードを階層構造としたので、複数の異なるメディアから提供される情報に各々関連するＷｅｂ上の情報を取得することが可能となる。
【００７５】
（１）変形例１
図１３−１は、変形例１を説明するための図である。利用者が、最初だけ階層化されたコードをすべて入力し、次からは、異なる部分だけの入力で済むように、上位のコードを端末装置２００のブラウザのクッキーに記憶したり、ＵＲＬ変換サーバ３００のコード受付部３０２で記憶することにしてもよい。例えば、図１３−１に示すように、図１１の情報媒体１００の紙面において、記事５を最初にみたい場合の入力は、「５５３３２５」であるが、次に記事６をみたい場合は、同じ媒体の同じページであるので、入力を「６」とする。
【００７６】
（２）変形例２
簡潔コードとして、電話番号や固有名詞などの既知情報を使用することにしてもよい。これにより、簡潔コードの入力が容易になる。
【００７７】
（３）変形例３
図１３−２は、変形例３を説明するための図である。情報への参照率の高いＵＲＬに対して、意図的に短い簡潔コードを割り当てることにしてもよい。例えば、図１１の情報媒体１００では、雑誌のページを想定しているためコード長が長くなる。上記変形例１によれば、２度目からは上位コードの省略が可能であるが、最初は長いコードの入力が必要となる。そこで、参照率の高いＵＲＬに対して特別な短いコードを割り当て、１度目からコード入力を単純化することにしてもよい。例えば、図１３−２に示すように、図１１の情報媒体１００の紙面において、記事５を最初にみたい場合に省略コードを用いて、「＊５１」を入力する。省略コードと簡潔コードとの対応関係は、端末装置２００のブラウザまたはＵＲＬ変換サーバ３００のコード受付部３０２が記憶しておき、省略コードが入力された場合には簡潔コードに変換する。
【００７８】
（４）変形例４
図１３−３および図１３−４は、変形例４を説明するための図である。ＵＲＬ変換サーバ３００が、簡潔コードに対応したＵＲＬで指定される情報を端末装置２００に提供する場合に、有料化したり、会員制とするために、アカウントを設定してアクセス制限することにしてもよい。変形例４では、ＵＲＬ変換サーバ３００は、端末装置２００から入力されるアカウント情報を認証してアクセスを許可する。
【００７９】
例えば、アクセスコントロール用に配布したＩＤ番号の入力をアクセス条件としてもよい。具体的には、最初の入力時に、１度だけ有効なアクセス用ＩＤコードを付加しなければ、ＵＲＬ変換サーバ３００がアクセスを拒否することにしてもよい。図１３−３に示す例では、図１１の情報媒体１００の紙面において、記事５を最初にみたい場合の入力は、アクセス用ＩＤコード（１８２９）を付加して、「１８２９５５３３２５」を入力する。
【００８０】
また、会員登録による参照制限を加えることにしてもよい。例えば、ＩＤ番号の代わりに、会員ＩＤコードと会員ＰＩＮコードを組み合わせ、アクセス制限を設けることにしてもよい。図１３−４に示す例では、図１１の情報媒体１００の紙面において、記事５を最初にみたい場合の入力は、会員ＩＤコード（１２３４）と会員ＰＩＮコード（９８７６）を付加して、「１２３４８７６５５３３２５」を入力する。
【００８１】
（５）変形例５
図１３−５は、変形例５を説明するための図である。端末装置２００のブラウザに機能追加ソフトウェアを組み込み、利用者がＵＲＬ変換サーバ３００（ＵＲＬ変換サイト）の存在を知らなくても、簡潔コードを入力するだけで対応したＵＲＬの情報を取得可能な構成としてもよい。例えば、図１３−５において、ブラウザの機能追加ソフトウェアは、ツールバーの入力位置に必要なコードが入力されると、ＵＲＬ変換サーバ３００に簡潔コードを送信し、ＵＲＬ変換サーバ３００は簡潔コードに対応したＵＲＬのページデータを取得して、端末装置２００のブラウザに送信する。
【産業上の利用可能性】
【００８２】
本発明に係る情報処理システム、情報中継装置、およびコンピュータが実行するためのプログラムは、各種情報媒体から提供される簡単なコードを入力して、関連するネットワーク上の情報を取得する場合に有用である。
【図面の簡単な説明】
【００８３】
【図１】実施の形態１に係る情報提供システムの全体構成例を示す図である。
【図２】情報媒体の一例である雑誌の紙面を示す図である。
【図３】端末装置の一例である携帯電話機の一構成例を示すハードウエア構成図である。
【図４】ＵＲＬ変換サーバの機能構成図である。
【図５】ＵＲＬ変換テーブルの一構成例を示す図である。
【図６】ＵＲＬ変換サーバのハードウエア構成図である。
【図７】実施の形態１に係る情報提供システムの動作の一例を説明するフローチャートである。
【図８】端末装置の画面遷移の一例を示す図である。
【図９−１】実施の形態１の変形例１を説明するための図である。
【図９−２】実施の形態１の変形例２を説明するための図である。
【図９−３】実施の形態１の変形例３を説明するための図である。
【図１０】実施の形態２に係る簡潔コードの階層構造を説明するための図である。
【図１１】実施の形態２に係る情報媒体の一例である雑誌の紙面を示す図である。
【図１２】実施の形態２に係るＵＲＬ変換テーブルの一部を示す図である。
【図１３−１】実施の形態２の変形例１を説明するための図である。
【図１３−２】実施の形態２の変形例２を説明するための図である。
【図１３−３】実施の形態２の変形例３を説明するための図である。
【図１３−４】実施の形態２の変形例４を説明するための図である。
【図１３−５】実施の形態２の変形例５を説明するための図である。
【符号の説明】
【００８４】
１  情報提供システム
１００  情報媒体
１１０  簡潔コード
２００  端末装置
２０１  ＣＰＵ
２０２  ＲＯＭ
２０３  ＲＡＭ
２０４  不揮発性メモリ
２０５  無線通信部
２０６  操作部
２０７  通話処理部
２０８  表示部
３００  ＵＲＬ変換サーバ
３０１  通信制御部
３０２  コード受付部
３０３  ＬＵＴ変換部
３０４  ＵＲＬ変換テーブル
３０５  ＵＲＬ呼出制御部
３１１  制御ユニット
３１２  メモリユニット
３１３  表示ユニット
３１４  入力ユニット
３１５  ＣＤ−ＲＯＭドライブユニット
３１６  ＨＤユニット
３１７  外部Ｉ／Ｆユニット
３１８  印刷ユニット
４００  情報提供サーバ
５００  ネットワーク
【図１】
2007226563.tif 000003
【図２】
2007226563.tif 000004
【図３】
2007226563.tif 000005
【図４】
2007226563.tif 000006
【図５】
2007226563.tif 000007
【図６】
2007226563.tif 000008
【図７】
2007226563.tif 000009
【図８】
2007226563.tif 000010
【図９−１】
2007226563.tif 000011
【図９−２】
2007226563.tif 000012
【図９−３】
2007226563.tif 000013
【図１０】
2007226563.tif 000014
【図１１】
2007226563.tif 000015
【図１２】
2007226563.tif 000016
【図１３−１】
2007226563.tif 000017
【図１３−２】
2007226563.tif 000018
【図１３−３】
2007226563.tif 000019
【図１３−４】
2007226563.tif 000020
【図１３−５】
2007226563.tif 000021